(57)【要約】【課題】録音レベルのばらつきを吸収し、所望の曲を即座に再生する。【解決手段】録音再生装置１は、記録媒体３に音声データが記録される際に録音レベルを曲毎に検出し、検出した録音レベルを曲単位の音声データと対応付けて記録媒体３に記録する録音レベル記録手段５と、記録媒体３から読み出した音声データを外部に出力する再生時、再生対象の曲に対応する録音レベルを記録媒体３から取得し、再生対象曲が標準録音レベルで記録されたかのように、再生対象曲の音声データの出力レベルを取得した録音レベルに基づいて調整する出力レベル補正値算出手段７及び出力レベルコントローラ８とを有する。【選択図】　　　　図１
2004079112.tif 000002
【特許請求の範囲】
【請求項１】
記録媒体に一連の音声データが記録される際に録音レベルを前記一連の音声データ毎に検出し、検出した録音レベルを録音レベル検出の対象となった前記一連の音声データと対応付けて前記記録媒体に記録する録音レベル記録手順と、
前記記録媒体から読み出した音声データを外部に出力する再生時、再生対象の一連の音声データに対応する録音レベルを前記記録媒体から取得し、取得した録音レベルと標準録音レベルとに基づいて前記再生対象の一連の音声データの出力レベルを調整する出力レベル制御手順とを実行することを特徴とする録音再生方法。
【請求項２】
記録媒体に一連の音声データが記録される際に録音レベルを前記一連の音声データ毎に検出し、検出した録音レベルを録音レベル検出の対象となった前記一連の音声データと対応付けて前記記録媒体に記録する録音レベル記録手順と、
外部からボリューム制御が可能なアンプ装置に前記記録媒体から読み出した音声データを出力する再生時、再生対象の一連の音声データに対応する録音レベルを前記記録媒体から取得し、取得した録音レベルと標準録音レベルとに基づいて前記アンプ装置のボリュームを制御するボリューム制御手順とを実行することを特徴とする録音再生方法。
【請求項３】
請求項１又は２記載の録音再生方法において、
予め設定された所定値を前記標準録音レベルとすることを特徴とする録音再生方法。
【請求項４】
請求項１又は２記載の録音再生方法において、
再生対象の複数の一連の音声データに対応する複数の録音レベルに基づいて前記標準録音レベルを決定することを特徴とする録音再生方法。
【請求項５】
音声データの記録再生が可能な記録媒体と、
この記録媒体に一連の音声データが記録される際に録音レベルを前記一連の音声データ毎に検出する録音レベル検出手段と、
前記検出した録音レベルを録音レベル検出の対象となった前記一連の音声データと対応付けて前記記録媒体に記録する録音レベル記録手段と、
前記記録媒体から読み出した音声データを外部に出力する再生時、再生対象の一連の音声データに対応する録音レベルを前記記録媒体から取得する録音レベル取得手段と、
前記取得した録音レベルと標準録音レベルとに基づいて前記再生対象の一連の音声データの出力レベルを調整する出力レベル制御手段とを有することを特徴とする録音再生装置。
【請求項６】
音声データの記録再生が可能な記録媒体と、
この記録媒体に一連の音声データが記録される際に録音レベルを前記一連の音声データ毎に検出する録音レベル検出手段と、
前記検出した録音レベルを録音レベル検出の対象となった前記一連の音声データと対応付けて前記記録媒体に記録する録音レベル記録手段と、
外部からボリューム制御が可能なアンプ装置に前記記録媒体から読み出した音声データを出力する再生時、再生対象の一連の音声データに対応する録音レベルを前記記録媒体から取得する録音レベル取得手段と、
前記取得した録音レベルと標準録音レベルとに基づいて前記アンプ装置のボリュームを制御するボリューム制御手段とを有することを特徴とする録音再生装置。
【請求項７】
請求項５又は６記載の録音再生装置において、
前記出力レベル制御手段又は前記ボリューム制御手段は、予め設定された所定値を前記標準録音レベルとすることを特徴とする録音再生装置。
【請求項８】
請求項５又は６記載の録音再生装置において、
前記出力レベル制御手段又は前記ボリューム制御手段は、再生対象の複数の一連の音声データに対応する複数の録音レベルに基づいて前記標準録音レベルを決定することを特徴とする録音再生装置。
【発明の詳細な説明】
【０００１】
【発明の属する技術分野】
本発明は、例えばメモリやハードディスク等の記録媒体に音声信号をデジタル記録し、記録した音声信号を再生する録音再生方法及び録音再生装置に関するものである。
【０００２】
【従来の技術】
近年、メモリやハードディスク等の記録媒体に音声信号をデジタル記録し、記録した音声信号を再生することができる録音再生装置が普及している。
【０００３】
【発明が解決しようとする課題】
以上のような録音再生装置の記録容量は記録媒体の容量増加に伴って増加し、それにより記録可能な曲数も増加しつつある。しかしながら、記録可能な曲数が増えると、様々な録音源から曲を記録する可能性が高くなるので、曲の録音レベルにばらつきが生じ、結果として曲によって再生音量が大きく異なるという問題点があった。
例えば、１枚のＣＤ（コンパクトディスク）の録音レベルはほぼ一定に揃えられているので、１枚のＣＤから曲を記録する場合には、その録音レベルが大きくばらつくことはない。ところが、複数枚のＣＤから曲を記録すると、ＣＤ毎の録音レベルの差により、録音再生装置で再生するときの再生音量が大きく異なる可能性がある。
記録時に録音レベルを調整できる録音再生装置も存在するが、曲毎に録音レベルを調整するのはユーザにとって非常に煩雑な作業である。また、デジタル記録において録音レベルの調整を行うと、音質が劣化する可能性があった。一方、再生時に手動で音量を調整すれば、録音レベルの違いを吸収することができるが、曲毎に再生音量を調整するのは記録時と同様にユーザにとって非常に煩雑な作業である。
以上のような録音レベルのばらつきの不具合を解消する方法として、記録媒体を高速再生して録音レベルの平均値を検出し、検出したレベルに基づいて再生音量を調整する再生方法が提案されている（特開平５−１２８７３１号公報）。しかしながら、この再生方法では、曲を再生する前に録音レベルの平均値を予め検出する必要があるので、実際に曲が再生されるまでに時間がかかるという問題点があった。
【０００４】
本発明は、上記課題を解決するためになされたもので、録音レベルのばらつきを吸収し、かつ所望の曲を即座に再生することができる録音再生方法及び録音再生装置を提供することを目的とする。
【０００５】
【課題を解決するための手段】
本発明の録音再生方法は、記録媒体に一連の音声データが記録される際に録音レベルを前記一連の音声データ毎に検出し、検出した録音レベルを録音レベル検出の対象となった前記一連の音声データと対応付けて前記記録媒体に記録する録音レベル記録手順と、前記記録媒体から読み出した音声データを外部に出力する再生時、再生対象の一連の音声データに対応する録音レベルを前記記録媒体から取得し、取得した録音レベルと標準録音レベルとに基づいて前記再生対象の一連の音声データの出力レベルを調整する出力レベル制御手順とを実行するようにしたものである。これにより、再生対象曲の音声データの出力レベルは、音声データが記録時に標準録音レベルで記録されたかのように調整される。ここで、一連の音声データとは、例えば曲のように、記録や再生の単位となるひとまとまりの音声データを意味する。
また、本発明の録音再生方法は、記録媒体に一連の音声データが記録される際に録音レベルを前記一連の音声データ毎に検出し、検出した録音レベルを録音レベル検出の対象となった前記一連の音声データと対応付けて前記記録媒体に記録する録音レベル記録手順と、外部からボリューム制御が可能なアンプ装置に前記記録媒体から読み出した音声データを出力する再生時、再生対象の一連の音声データに対応する録音レベルを前記記録媒体から取得し、取得した録音レベルと標準録音レベルとに基づいて前記アンプ装置のボリュームを制御するボリューム制御手順とを実行するようにしたものである。これにより、アンプ装置のボリュームは、再生対象曲の音声データが記録時に標準録音レベルで記録されたかのように調整される。
また、本発明の録音再生方法の１構成例は、予め設定された所定値を前記標準録音レベルとするようにしたものである。
また、本発明の録音再生方法の１構成例は、再生対象の複数の一連の音声データに対応する複数の録音レベルに基づいて前記標準録音レベルを決定するようにしたものである。
【０００６】
また、本発明の録音再生装置は、音声データの記録再生が可能な記録媒体と、この記録媒体に一連の音声データが記録される際に録音レベルを前記一連の音声データ毎に検出する録音レベル検出手段と、前記検出した録音レベルを録音レベル検出の対象となった前記一連の音声データと対応付けて前記記録媒体に記録する録音レベル記録手段と、前記記録媒体から読み出した音声データを外部に出力する再生時、再生対象の一連の音声データに対応する録音レベルを前記記録媒体から取得する録音レベル取得手段と、前記取得した録音レベルと標準録音レベルとに基づいて前記再生対象の一連の音声データの出力レベルを調整する出力レベル制御手段とを有するものである。
また、本発明の録音再生装置は、音声データの記録再生が可能な記録媒体と、この記録媒体に一連の音声データが記録される際に録音レベルを前記一連の音声データ毎に検出する録音レベル検出手段と、前記検出した録音レベルを録音レベル検出の対象となった前記一連の音声データと対応付けて前記記録媒体に記録する録音レベル記録手段と、外部からボリューム制御が可能なアンプ装置に前記記録媒体から読み出した音声データを出力する再生時、再生対象の一連の音声データに対応する録音レベルを前記記録媒体から取得する録音レベル取得手段と、前記取得した録音レベルと標準録音レベルとに基づいて前記アンプ装置のボリュームを制御するボリューム制御手段とを有するものである。
また、本発明の録音再生装置の１構成例において、前記出力レベル制御手段又は前記ボリューム制御手段は、予め設定された所定値を前記標準録音レベルとするものである。
また、本発明の録音再生装置の１構成例において、前記出力レベル制御手段又は前記ボリューム制御手段は、再生対象の複数の一連の音声データに対応する複数の録音レベルに基づいて前記標準録音レベルを決定するものである。
【０００７】
【発明の実施の形態】
［第１の実施の形態］
以下、本発明の実施の形態について図面を参照して詳細に説明する。図１は本発明の第１の実施の形態となる録音再生装置の構成を示すブロック図である。本実施の形態の録音再生装置１は、ＣＤドライブ装置２と、音声データの記録再生が可能なハードディスクやメモリ等の記録媒体３と、記録媒体３に音声データを記録する音声データ記録手段４と、記録媒体３に音声データが記録される際に録音レベルを曲毎に検出し、検出した録音レベルを曲単位の音声データと対応付けて記録媒体３に記録する録音レベル記録手段５と、再生時に記録媒体３から音声データを読み出す再生手段６と、再生対象の曲に対応する録音レベルを記録媒体３から取得し、取得した録音レベルに基づいて出力レベル補正値を算出する出力レベル補正値算出手段７と、算出された出力レベル補正値に基づいて音声データの出力レベルを調整する出力レベルコントローラ８と、ユーザが録音再生装置１に指示を与えるための入力手段９と、ユーザに対して情報を提示するための表示手段１０と、インターネットと接続するためのネットワークインタフェース手段（ＮＩ）１１と、録音再生装置全体を制御する制御手段１２とを有する。出力レベル補正値算出手段７と出力レベルコントローラ８は、外部に出力する音声データの出力レベルを調整する出力レベル制御手段を構成している。
【０００８】
以下、図１の録音再生装置１の記録時の動作を説明する。図２は録音再生装置１の記録時の動作を示すフローチャートである。まず、ユーザは、ＣＤドライブ装置２にＣＤを挿入し、入力手段９を操作してＣＤを記録媒体３に録音するよう要求する。制御手段１２は、ユーザの要求に応じて音声データ記録手段４を制御し、音声データ記録手段４は、ＣＤドライブ装置２に挿入されたＣＤから曲毎に音声データを読み出して記録媒体３に記録する（図２ステップＳ１）。
【０００９】
録音レベル記録手段５は、ステップＳ１で音声データが記録される際に、録音レベルの最大値である最大録音レベルＬＰＥと録音レベルの平均値である平均録音レベルＬＡＶを曲単位の音声データ毎に検出する。そして、録音レベル記録手段５は、検出した最大録音レベルＬＰＥおよび平均録音レベルＬＡＶを示す録音レベルデータを、録音レベル検出の対象となった曲単位の音声データと対応付けて記録媒体３に記録する（ステップＳ２）。
ユーザが指定した曲（ＣＤの全曲又はその一部）の記録が終了するまで（ステップＳ３においてＹＥＳ）、以上のようなステップＳ１，Ｓ２の処理が曲毎に行われる。
【００１０】
次に、音声データ記録手段４は、曲の属性情報を、ステップＳ１で記録した曲単位の音声データと対応付けて記録媒体３に記録する（ステップＳ４）。曲の属性情報としては、曲情報（曲名）、アーティスト情報（アーティスト名）、アルバム情報（アルバム名）、およびジャンル情報（ジャンル名）がある。
曲の属性情報は、ＣＤドライブ装置２にＣＤが挿入されたときに、制御手段１２がネットワークインタフェース手段１１を介してインターネット上の音楽ＣＤデータベースサーバにアクセスすることにより取得することができる。制御手段１２は、音楽ＣＤデータベースサーバから取得した属性情報を音声データ記録手段４に渡し、音声データ記録手段４は受け取った属性情報を曲単位の音声データと対応付けて記録媒体３に記録する。なお、ユーザが入力手段９を操作して、曲の属性情報を入力してもよい。
【００１１】
次に、録音再生装置１の再生時の動作を説明する。図３は録音再生装置１の再生時の動作を示すフローチャートである。まず、ユーザは、録音再生装置１の入力手段９を操作して、複数の曲から構成される再生対象グループを選択し、再生対象グループの再生を要求する（図３ステップＳ１１）。
再生対象グループとしては、同一のアルバムに属する曲、同一のアーティストが演奏した曲、同一のジャンルに属する曲、ユーザが指定したプレイリストに属する曲などがある。ユーザは、入力手段９を操作して、所望の曲を直接指定してプレイリストを作成するか、あるいは所望のアルバム、アーティスト又はジャンルを指定する。
ユーザがアルバム、アーティスト又はジャンルを指定した場合、制御手段１２は、記録媒体３に記録された曲の属性情報を再生手段６を通じて参照し、ユーザが指定したアルバム、アーティスト又はジャンルに対応する曲名を表示手段１０に表示させる。ユーザは、表示手段１０に表示された全曲又はその一部を入力手段９で選択する。制御手段１２は、ユーザが選択した曲を再生対象グループとして記憶する。また、ユーザがプレイリストを作成する場合、制御手段１２は、ユーザが作成したプレイリストの曲を再生対象グループとして記憶する。
【００１２】
次に、制御手段１２は、ステップＳ１１で選択された再生対象グループを出力レベル補正値算出手段７に通知する。出力レベル補正値算出手段７は、制御手段１２から通知された再生対象グループに属する各曲の録音レベルデータ（最大録音レベルＬＰＥ、平均録音レベルＬＡＶ）を記録媒体３から取得し、取得した録音レベルデータに基づいて再生対象グループの標準録音レベルＬＲＥＦを決定する（ステップＳ１２）。
標準録音レベルＬＲＥＦの決定方法としては以下のような方法が考えられる。
（Ａ）再生対象グループに属する各曲の平均録音レベルＬＡＶのうち最大値を標準録音レベルＬＲＥＦとする。
（Ｂ）再生対象グループに属する各曲の平均録音レベルＬＡＶのうち最小値を標準録音レベルＬＲＥＦとする。
（Ｃ）再生対象グループに属する各曲の平均録音レベルＬＡＶのうち平均値を標準録音レベルＬＲＥＦとする。
なお、記録媒体３から取得した録音レベルから標準録音レベルを決定する代わりに次のようにしてもよい。
（Ｄ）再生対象グループに関わらず、録音再生装置１に固有の値を標準録音レベルＬＲＥＦとする。
【００１３】
出力レベル補正値算出手段７は、予め定められた（Ａ）〜（Ｄ）のいずれか１つの方法で標準録音レベルＬＲＥＦを決定する。なお、（Ａ）〜（Ｃ）のいずれかの方法によれば、再生対象グループに属する各曲の平均録音レベルＬＡＶに基づいて標準録音レベルＬＲＥＦを決定するので、（Ｄ）のように録音再生装置１に固有の値を用いる場合に比べて出力レベル補正が過大になったり、過小になったりする可能性が少なくなり、再生対象グループに属する各曲の音量をより適切に調整することができる。
【００１４】
次に、ステップＳ１２で取得した録音レベルデータのうち、再生対象グループに属する曲ｍの平均録音レベルをＬＡＶｍとし、曲ｍの最大録音レベルをＬＰＥｍとする。
制御手段１２は、再生対象グループに属する曲ｍについて出力レベル補正値算出処理を行うよう出力レベル補正値算出手段７に指令する。出力レベル補正値算出手段７は、制御手段１２の指令に従って、曲ｍの平均録音レベルＬＡＶｍを補正する平均録音レベル補正値ＣＡＶｍと、曲ｍの最大録音レベルＬＰＥｍを補正する最大録音レベル補正値ＣＰＥｍを次式により算出する（ステップＳ１３）。
ＣＡＶｍ＝ＬＲＥＦ／ＬＡＶｍ　　　　　　　　　　　　　　・・・（１）
ＣＰＥｍ＝ＬＭＡＸ／ＬＰＥｍ　　　　　　　　　　　　　　　　　　　　　　　　　　　・・・（２）
式（２）において、ＬＭＡＸは録音再生装置１がとり得る録音レベルの最大値である。
【００１５】
続いて、出力レベル補正値算出手段７は、算出した平均録音レベル補正値ＣＡＶｍと最大録音レベル補正値ＣＰＥｍとを比較し（ステップＳ１４）、平均録音レベル補正値ＣＡＶｍが最大録音レベル補正値ＣＰＥｍ以下の場合、平均録音レベル補正値ＣＡＶｍを曲ｍの出力レベル補正値ＣＯＬｍとし（ステップＳ１５）、平均録音レベル補正値ＣＡＶｍが最大録音レベル補正値ＣＰＥｍより大きい場合、最大録音レベル補正値ＣＰＥｍを曲ｍの出力レベル補正値ＣＯＬｍとする（ステップＳ１６）。
なお、平均録音レベル補正値ＣＡＶｍと最大録音レベル補正値ＣＰＥｍのいずれか小さい方を曲ｍの出力レベル補正値ＣＯＬｍとして採用するのは、後述のように曲ｍの音声データと出力レベルボリューム値とを乗算する際に、乗算結果が録音再生装置１の出力し得る最大値を超えて飽和するのを防ぐためである。
【００１６】
次に、制御手段１２は、曲ｍを再生するよう再生手段６に指令し、再生手段６は、制御手段１２の指令に従って曲ｍの音声データを記録媒体３から読み出す（ステップＳ１７）。
出力レベルコントローラ８は、再生手段６から出力された音声データの出力レベルを調整する出力レベルボリューム（不図示）を備えている。出力レベルコントローラ８は、曲ｍの再生時の出力レベルボリュームの値Ｖｍを次式のように設定し、再生手段６が読み出した曲ｍの音声データと出力レベルボリューム値Ｖｍとを乗算して、この乗算結果をレベル補正した曲ｍの音声データとして外部に出力する（ステップＳ１８）。
Ｖｍ＝ＶＲＥＦ×ＣＯＬｍ　　　　　　　　　　　　　　　　　　　　　　　　　　　　　　　　・・・（３）
式（３）において、ＶＲＥＦは、出力レベルボリュームの基準ボリューム値である。
録音再生装置１から出力された曲ｍの音声データは、図示しないＡＶアンプ等によって増幅されてスピーカから出力されたり、図示しない別の録音機器によって記録媒体に記録されたりする。
【００１７】
次に、ユーザは、曲ｍの再生中に出力レベルボリュームを手動で操作することが可能である。出力レベルコントローラ８は、曲ｍの再生中にユーザが出力レベルボリュームを操作した場合（ステップＳ１９においてＹＥＳ）、記憶している基準ボリューム値ＶＲＥＦを次式に従って変更する（ステップＳ２０）。以降のステップＳ１８の処理では、変更後の基準ボリューム値ＶＲＥＦが使用される。
ＶＲＥＦ＝Ｖｕ／ＣＯＬｍ　　　　　　　　　　　　　　　　・・・（４）
式（４）において、Ｖｕはユーザが設定した出力レベルボリュームの値である。
【００１８】
曲ｍの再生が終了するまで（ステップＳ２１においてＹＥＳ）、ステップＳ１８〜Ｓ２０の処理が繰り返される。曲ｍの再生終了後、制御手段１２は、再生対象グループの全曲を再生したかどうか判定し（ステップＳ２２）、全曲を再生していない場合には、ステップＳ１３に戻って、次の曲を再生する。こうして、再生対象グループの先頭から最後までステップＳ１３〜Ｓ２２の処理が曲毎に行われる。
再生対象グループの全曲を再生した後、制御手段１２は、出力レベルコントローラ８に指示して、出力レベルボリュームの値Ｖｍを基準ボリューム値ＶＲＥＦに戻す（ステップＳ２３）。
【００１９】
以上のように、本実施の形態では、再生対象グループに属する各曲が標準録音レベルで記録されたかのように、出力レベルボリュームの値を調整するので、録音レベルのばらつきを吸収することができ、ほぼ一定のレベルで曲を再生したり、別の媒体に記録したりすることができる。
また、音声データの記録時に録音レベルを検出して音声データと共に記録媒体３に記録しておくので、再生時に音声データを高速再生して録音レベルを検出する等の処理を行う必要がなく、再生前の処理に時間をかけることなく所望の曲を即座に再生することができる。
【００２０】
［第２の実施の形態］
図４は本発明の第２の実施の形態となる録音再生システムの構成を示すブロック図であり、図１と同一の構成には同一の符号を付してある。本実施の形態の録音再生システムは、アンプ装置からステータスを取得する機能とアンプ装置に対するボリューム制御機能を備えた録音再生装置１ａと、外部からボリューム制御が可能なアンプ装置２１と、アンプ装置２１によって駆動されるスピーカ３１とからなる。
【００２１】
録音再生装置１ａは、ＣＤドライブ装置２と、記録媒体３と、音声データ記録手段４と、録音レベル記録手段５と、再生手段６と、再生対象の曲に対応する録音レベルを記録媒体３から取得し、取得した録音レベルに基づいてボリューム補正値を算出するボリューム補正値算出手段７ａと、入力手段９と、表示手段１０と、ネットワークインタフェース手段１１と、録音再生装置全体を制御すると共に、算出されたボリューム補正値に基づいてアンプ装置２１のボリュームを制御する制御手段１２ａと、アンプ装置２１と双方向通信を行うための通信インタフェース手段１３とを有している。
【００２２】
アンプ装置２１は、複数の音源の中から所望の音声入力を選択するインプットセレクタ２２と、インプットセレクタ２２から出力された音声データをアナログ音声信号に変換するＤ／Ａ変換器２３と、Ｄ／Ａ変換器２３から出力されたアナログ音声信号のレベルを調整するボリューム２４と、ボリューム２４から出力されたアナログ音声信号を増幅するパワーアンプ２５と、録音再生装置１ａと双方向通信を行うための通信インタフェース手段２６と、記憶手段２７と、アンプ装置全体を制御する制御手段２８とを有している。通信インタフェース手段１３と２６間の通信プロトコルとしては、例えばＲＳ−２３２Ｃがある。なお、図４では、録音再生装置１ａからの音声データ出力をデジタル信号としているが、アナログ信号でも構わない。音声データ出力がアナログ信号の場合にはＤ／Ａ変換器２３が不要となる。
【００２３】
録音再生装置１ａの記録時の動作は第１の実施の形態と同様である。次に、録音再生装置１ａの再生時の動作を説明する。図５は録音再生装置１ａの再生時の動作を示すフローチャートである。図５のステップＳ３１の処理は図３のステップＳ１１と同様である。
制御手段１２ａは、ステップＳ３１で選択された再生対象グループをボリューム補正値算出手段７ａに通知する。ボリューム補正値算出手段７ａは、再生対象グループの標準録音レベルＬＲＥＦを決定する（ステップＳ３２）。標準録音レベルＬＲＥＦの決定方法は、図３のステップＳ１２と同じである。
次に、ボリューム補正値算出手段７ａは、再生対象グループに属する曲ｍについて平均録音レベル補正値ＣＡＶｍと最大録音レベル補正値ＣＰＥｍを算出する（ステップＳ３３）。このときの算出方法は、図３のステップＳ１３と同じである。
続いて、ボリューム補正値算出手段７ａは、算出した平均録音レベル補正値ＣＡＶｍと最大録音レベル補正値ＣＰＥｍとを比較し（ステップＳ３４）、平均録音レベル補正値ＣＡＶｍが最大録音レベル補正値ＣＰＥｍ以下の場合、平均録音レベル補正値ＣＡＶｍを曲ｍのボリューム補正値ＣＶＯｍとし（ステップＳ３５）、平均録音レベル補正値ＣＡＶｍが最大録音レベル補正値ＣＰＥｍより大きい場合、最大録音レベル補正値ＣＰＥｍを曲ｍのボリューム補正値ＣＶＯｍとする（ステップＳ３６）。
なお、平均録音レベル補正値ＣＡＶｍと最大録音レベル補正値ＣＰＥｍのいずれか小さい方を曲ｍのボリューム補正値ＣＶＯｍとして採用するのは、ボリューム値が基準ボリューム値ＶＡＲＥＦである時に出力される最大音量を上回る音が、自動ボリューム制御により出力されてしまうことを防ぐためである。
例えば、平均録音レベルが小さく、最大録音レベルが大きい曲を再生した場合、平均録音レベル補正値ＣＡＶｍは大きな値になることが予想できる。このときに平均録音レベル補正値ＣＡＶｍをそのままボリューム補正値とすると、ボリュームを大幅に大きくすることになり、曲のピーク部分において大音量が発生してしまう。この大音量はボリューム値が基準ボリューム値ＶＡＲＥＦであったときには出力されるはずのない（出力できない）大音量であり、ユーザの予期せぬ大音量となってしまう。
そこで、平均録音レベル補正値ＣＡＶｍと最大録音レベル補正値ＣＰＥｍのいずれか小さい方をボリューム補正値ＣＶＯｍとしておけば、このような場合でも、ボリューム値が基準ボリューム値ＶＡＲＥＦであったときに出力できる最大音量を上回る音を発生させることはない。そのため、ボリュームの自動制御によりユーザの予期せぬ大音量を発生させてしまう事態を防ぐことができる。
【００２４】
次に、制御手段１２ａは、曲ｍを再生するよう再生手段６に指令し、再生手段６は、制御手段１２ａの指令に従って曲ｍの音声データを記録媒体３から読み出してアンプ装置２１に出力する（ステップＳ３７）。
次に、制御手段１２ａは、通信インタフェース手段１３を介してアンプ装置２１にステータス取得コマンドを定期的に送信し、アンプ装置２１の状態を確認する。図６（ａ）は録音再生装置１ａから送出される制御コマンドのフォーマットを示す図、図６（ｂ）はステータス取得コマンドに応じてアンプ装置２１から送出されるメッセージのフォーマットを示す図である。
【００２５】
録音再生装置１ａから送出される制御コマンドは、制御コマンドの開始を示す例えば１バイトのＳＴＸデリミタ１０１と、コマンドフィールド１０２と、オプションフィールド１０３と、制御コマンドの終了を示す例えば１バイトのＥＴＸデリミタ１０４とから構成される。
コマンドフィールド１０２に格納される値が例えば「１」の場合、制御コマンドはアンプ装置２１のステータスを取得するステータス取得コマンドとなり、例えば「２」の場合、アンプ装置２１のボリューム値を設定するボリューム設定コマンドとなる。
オプションフィールド１０３にはコマンドの引数が格納され、例えばボリューム設定コマンドの場合には録音再生装置１ａからアンプ装置２１に対して設定するボリューム値が格納される。
【００２６】
アンプ装置２１から送出されるメッセージは、メッセージの開始を示すＳＴＸデリミタ２０１と、機種ＩＤフィールド２０２と、ボリュームフィールド２０３と、インプットセレクタフィールド２０４と、メッセージの終了を示すＥＴＸデリミタ２０５とから構成される。
機種ＩＤフィールド２０２には、アンプ装置２１の機種を判別するための機種ＩＤが格納される。ボリュームフィールド２０３には、アンプ装置２１のボリューム２４の現在の値が格納される。インプットセレクタフィールド２０４には、アンプ装置２１のインプットセレクタ２２の現在の状態を示すインプットコードが格納される。
【００２７】
録音再生装置１ａの記録媒体３には、アンプ装置２１の全機種に共通のインプットコードと各機種の入力端子とを対応付けた図７のようなインプットコードテーブル３０１が予め格納されている。一方、アンプ装置２１の記憶手段２７には、インプットコードと自装置の入力端子とを対応付けた図８のようなインプットコードテーブル３０２が予め格納されている。図８の例では、インプットコードテーブル３０２の１例として、機種ＩＤ「１」のアンプ装置２１のテーブル３０２を示している。
インプットコードとアンプ装置２１の入力端子との対応関係は機種毎に定められており、例えば機種ＩＤ「１」、「２」のアンプ装置２１において、インプットコード「０」はインプットセレクタ２２が「ＣＤ」入力端子を選択していることを示す。同様に、機種ＩＤ「１」のアンプ装置２１において、インプットコード「６」はインプットセレクタ２２が「Ｖ−ＡＵＸ」入力端子を選択していることを示す。
【００２８】
録音再生装置１ａの制御手段１２ａは、曲ｍの再生を再生手段６に指令すると同時に、通信インタフェース手段１３を介してアンプ装置２１にステータス取得コマンドを送信する。
アンプ装置２１の制御手段２８は、通信インタフェース手段２６を介してステータス取得コマンドを受信すると、インプットセレクタフィールド２０４にインプットコードを格納したメッセージを通信インタフェース手段２６を介して録音再生装置１ａに返送する。なお、制御手段２８は、インプットセレクタ２２が選択した入力端子に対応するインプットコードを記憶手段２７のインプットコードテーブル３０２に基づいて決定する。
【００２９】
録音再生装置１ａの制御手段１２ａは、通信インタフェース手段１３を介して受信したメッセージの機種ＩＤフィールド２０２から機種ＩＤを取得する。こうして、録音再生装置１ａに現在接続されている制御対象のアンプ装置２１の機種ＩＤを取得することができる。
そして、制御手段１２ａは、受信したメッセージのインプットセレクタフィールド２０４からインプットコードを取得し、アンプ装置２１のインプットセレクタ２２が自装置（録音再生装置１ａ）を選択しているかどうか確認する（ステップＳ３８）。
【００３０】
図７、図８の例では録音再生装置に対応するインプットコードが存在しないが、例えば録音再生装置１ａの音声出力を機種ＩＤ「１」のアンプ装置２１の「Ｖ−ＡＵＸ」入力端子に接続するとすれば、ユーザは、録音再生装置１ａ用の入力端子として「Ｖ−ＡＵＸ」を制御手段１２ａに登録しておけばよい。
これにより、制御手段１２ａは、受信したメッセージから機種ＩＤとインプットコードを取得したとき、この機種ＩＤとインプットコードに対応する入力端子がインプットコードテーブル３０１上で「Ｖ−ＡＵＸ」であれば、アンプ装置２１のインプットセレクタ２２が自装置を選択していると判断し、対応する入力端子が「Ｖ−ＡＵＸ」でない場合には、インプットセレクタ２２が自装置を選択していないと判断することができる。
【００３１】
インプットセレクタ２２が録音再生装置１ａを選択している場合、制御手段１２ａは、アンプ装置２１に対してボリューム値設定処理を行う（ステップＳ３９）。ボリューム値設定処理において、制御手段１２ａは、アンプ装置２１のボリューム２４の値ＶＡｍを次式のように算出する。
ＶＡｍ＝ＶＡＲＥＦ×ＣＶＯｍ　　　　　　　　　　　　　　　　　　　　　　　　　　　　・・・（５）
式（５）において、ＶＡＲＥＦはボリューム２４の基準ボリューム値である。
続いて、制御手段１２ａは、算出したボリューム値ＶＡｍをボリューム設定コマンドのオプションフィールド１０３に格納して、このボリューム設定コマンドを通信インタフェース手段１３を介してアンプ装置２１に送信する。
通信インタフェース手段２６を介してボリューム設定コマンドを受信したアンプ装置２１の制御手段２８は、ボリューム設定コマンドのオプションフィールド１０３からボリューム値ＶＡｍを取得して、ボリューム２４の値をＶＡｍに設定する。以上で、ボリューム値設定処理が終了する。
録音再生装置１ａから出力された曲ｍの音声データは、インプットセレクタ２２を通ってＤ／Ａ変換器２３でアナログ音声信号に変換され、ボリューム２４を通ってパワーアンプ２５で増幅されてスピーカ３１に出力される。
【００３２】
次に、ユーザは、曲ｍの再生中にアンプ装置２１のボリューム２４を手動で操作することが可能である。録音再生装置１ａの制御手段１２ａは、前述のステータス取得コマンドをアンプ装置２１に定期的に送信している。このステータス取得コマンドに応じて、アンプ装置２１の制御手段２８は、ボリュームフィールド２０３にボリューム２４の現在の値ＶＡｕを格納したメッセージを録音再生装置１ａに返送する。
録音再生装置１ａの制御手段１２ａは、アンプ装置２１から送出されたメッセージを受信し、このメッセージのボリュームフィールド２０３からボリューム値ＶＡｕを取得する。そして、制御手段１２ａは、記憶している基準ボリューム値ＶＡＲＥＦを、取得したボリューム値ＶＡｕにより次式に従って更新する。以降のステップＳ３９の処理では、更新後の基準ボリューム値ＶＡＲＥＦが使用される。
ＶＡＲＥＦ＝ＶＡｕ／ＣＶＯｍ　　　　　　　　　　　　　　・・・（６）
こうして、ユーザが曲ｍの再生中にボリューム２４を手動で操作すると（ステップＳ４０においてＹＥＳ）、ボリューム値ＶＡｕが変化するので、基準ボリューム値ＶＡＲＥＦが変更されることになる（ステップＳ４１）。
【００３３】
曲ｍの再生が終了するまで（ステップＳ４２においてＹＥＳ）、ステップＳ３８〜Ｓ４１の処理が繰り返される。曲ｍの再生終了後、制御手段１２ａは、再生対象グループの全曲を再生したかどうか判定し（ステップＳ４３）、全曲を再生していない場合には、ステップＳ３３に戻って、次の曲を再生する。こうして、再生対象グループの先頭から最後までステップＳ３３〜Ｓ４３の処理が曲毎に行われる。
再生対象グループの全曲を再生した後、制御手段１２ａは、基準ボリューム値ＶＡＲＥＦをボリューム設定コマンドのオプションフィールド１０３に格納して、このボリューム設定コマンドをアンプ装置２１に送信する。アンプ装置２１の制御手段２８は、受信したボリューム設定コマンドのオプションフィールド１０３から基準ボリューム値ＶＡＲＥＦを取得して、ボリューム２４の値をＶＡＲＥＦに設定する（ステップＳ４４）。
【００３４】
なお、曲の再生中にユーザがインプットセレクタ２２を操作した場合、アンプ装置２１から定期的に送出されるメッセージ中のインプットコードが変化する。録音再生装置１ａの制御手段１２ａは、受信したメッセージ中のインプットコードにより、アンプ装置２１のインプットセレクタ２２が自装置を選択していないと判断した場合（ステップＳ３８においてＮＯ）、ステップＳ３９のボリューム値設定処理を実行しない。
ただし、ステップＳ３９を除く録音再生装置１ａの再生処理（ステップＳ３３〜Ｓ３８、Ｓ４０〜Ｓ４４）は、ユーザが再生中止を別途指示しない限り継続される。ユーザがアンプ装置２１のインプットセレクタ２２を操作して録音再生装置１ａを選択すると、ステップＳ３９のボリューム値設定処理が再開される。
また、アンプ装置２１のインプットセレクタ２２が録音再生装置１ａを選択していない場合でも、ユーザがボリューム２４を操作すれば、ステップＳ４０，Ｓ４１の処理が行われる。したがって、インプットセレクタ２２が録音再生装置１ａを選択していないときに、ユーザがボリューム２４を操作すれば、前述のとおり基準ボリューム値ＶＡＲＥＦが変更されるので、ボリューム値設定処理の再開後は変更後の基準ボリューム値ＶＡＲＥＦが使用される。
【００３５】
以上のように、本実施の形態では、再生対象グループに属する各曲が標準録音レベルで記録されたかのように、ボリューム２４の値を調整するので、録音レベルのばらつきを吸収することができ、ほぼ一定のレベルで曲を再生することができる。また、第１の実施の形態と同様に、再生前の処理に時間をかけることなく所望の曲を即座に再生することができる。
また、音量調整は最終出力段で行うことが音質的に望ましく、本実施の形態では、録音再生装置１ａ内で音量調整せずに、録音再生装置１ａからアンプ装置２１のボリューム２４を制御するようにしているので、音質的に最適な方法で音量調整することができる。
【００３６】
なお、第１、第２の実施の形態において、何らかの理由で再生対象グループに属する曲の録音レベルデータが記録されていない場合、制御手段１２，１２ａは、ステップＳ１２，Ｓ３２の処理を開始させる前に、録音レベルデータが記録されていない音声データを録音レベル記録手段５に高速スキャンさせて、最大録音レベルＬＰＥと平均録音レベルＬＡＶを検出させ、検出した録音レベルデータを音声データと対応付けて記録媒体３に記録させる。
また、第１、第２の実施の形態では、再生対象グループを複数の曲からなるものとしているが、再生対象グループに属する曲が１曲しかない場合には、ステップＳ１２で説明した（Ｄ）のように録音再生装置１，１ａに固有の値を標準録音レベルＬＲＥＦとすればよい。
また、第１、第２の実施の形態では、平均録音レベルを機械的に算出したものを利用しているが、平均録音レベルと聴感上の平均レベルが一致しない場合もあるので、通常のモードとは別に平均録音レベルを補正するモードを設けて、各曲の聴感上の平均レベルを設定し、この平均レベルを平均録音レベルの代わりに用いてもよい。
【００３７】
【発明の効果】
本発明によれば、記録媒体に音声データが記録される際に録音レベルを一連の音声データ毎に検出し、検出した録音レベルを録音レベル検出の対象となった一連の音声データと対応付けて記録媒体に記録する録音レベル記録手順と、記録媒体から読み出した音声データを外部に出力する再生時、再生対象の一連の音声データに対応する録音レベルを記録媒体から取得し、取得した録音レベルと標準録音レベルとに基づいて再生対象の一連の音声データの出力レベルを調整する出力レベル制御手順とを実行することにより、再生対象の一連の音声データ（曲）が標準録音レベルで記録されたかのように音声データの出力レベルを調整するので、録音レベルのばらつきを吸収することができ、ほぼ一定のレベルで一連の音声データを再生したり、別の媒体に記録したりすることができる。また、音声データの記録時に録音レベルを検出して音声データと共に記録媒体に記録しておくので、再生時に音声データを高速再生して録音レベルを検出する等の処理を行う必要がなく、再生前の処理に時間をかけることなく所望の一連の音声データを即座に再生することができる。
【００３８】
また、記録媒体に音声データが記録される際に録音レベルを一連の音声データ毎に検出し、検出した録音レベルを録音レベル検出の対象となった一連の音声データと対応付けて記録媒体に記録する録音レベル記録手順と、外部からボリューム制御が可能なアンプ装置に記録媒体から読み出した音声データを出力する再生時、再生対象の一連の音声データに対応する録音レベルを記録媒体から取得し、取得した録音レベルと標準録音レベルとに基づいてアンプ装置のボリュームを制御するボリューム制御手順とを実行することにより、再生対象の一連の音声データが標準録音レベルで記録されたかのようにアンプ装置のボリュームを制御するので、録音レベルのばらつきを吸収することができ、ほぼ一定のレベルで一連の音声データを再生することができる。また、音声データの記録時に録音レベルを検出して音声データと共に記録媒体に記録しておくので、再生時に音声データを高速再生して録音レベルを検出する等の処理を行う必要がなく、再生前の処理に時間をかけることなく所望の一連の音声データを即座に再生することができる。さらに、録音再生装置内で音量調整せずに、アンプ装置のボリュームを制御しているので、音質的に最適な方法で音量調整することができる。
【００３９】
また、再生対象の複数の一連の音声データに対応する複数の録音レベルに基づいて標準録音レベルを決定することにより、再生対象の一連の音声データと無関係な固定値を標準録音レベルとする場合に比べて、音声データの出力レベル又はアンプ装置のボリュームをより適切に調整することができる。
【図面の簡単な説明】
【図１】本発明の第１の実施の形態となる録音再生装置の構成を示すブロック図である。
【図２】図１の録音再生装置の記録時の動作を示すフローチャートである。
【図３】図１の録音再生装置の再生時の動作を示すフローチャートである。
【図４】本発明の第２の実施の形態となる録音再生システムの構成を示すブロック図である。
【図５】図４の録音再生装置の再生時の動作を示すフローチャートである。
【図６】本発明の第２の実施の形態において録音再生装置から送出される制御コマンドのフォーマット及びアンプ装置から送出されるメッセージのフォーマットを示す図である。
【図７】図４の録音再生装置のインプットコードテーブルの１例を示す図である。
【図８】図４のアンプ装置のインプットコードテーブルの１例を示す図である。
【符号の説明】
１、１ａ…録音再生装置、２…ＣＤドライブ装置、３…記録媒体、４…音声データ記録手段、５…録音レベル記録手段、６…再生手段、７…出力レベル補正値算出手段、７ａ…ボリューム補正値算出手段、８…出力レベルコントローラ、９…入力手段、１０…表示手段、１１…ネットワークインタフェース手段、１２、１２ａ、２８…制御手段、１３、２６…通信インタフェース手段、２１…アンプ装置、２２…インプットセレクタ、２３…Ｄ／Ａ変換器、２４…ボリューム、２５…パワーアンプ、２７…記憶手段。
【図１】
2004079112.tif 000003
【図２】
2004079112.tif 000004
【図３】
2004079112.tif 000005
【図４】
2004079112.tif 000006
【図５】
2004079112.tif 000007
【図６】
2004079112.tif 000008
【図７】
2004079112.tif 000009
【図８】
2004079112.tif 000010